(57)【要約】【課題】取り付け構造を簡素化し部品の生産性、端子カバーの取り扱い性を向上する。【解決手段】電子機器への端子カバー取り付け構造に、電子機器の筐体１００の側面に位置し、外部接続コネクタ２０１との接続用の嵌合部１０１Ｂの近傍に位置する端子磁石部１０１Ａを有する外部接続端子１０１と、外部接続端子の近傍に位置する筐体磁石部１００Ｂと、エラストマ樹脂で成形され、支点で折り返され、カバー磁石部１０２Ａを有し、カバー磁石部と外部接続端子の端子磁石部と磁力で結合し外部接続端子を閉じ、端子磁石部との結合を解除して外部接続端子を開き、筐体磁石部と磁力で結合し、筐体の側面に密着し、外部接続端子の嵌合部に外部接続コネクタを接続させるための端子カバー１０２とを備える。【選択図】図１
2006262052.tif 000002
【特許請求の範囲】
【請求項１】
電子機器への端子カバー取り付け構造において、
前記電子機器の筐体の側面に位置し、外部接続コネクタとの接続用の嵌合部の近傍に位置する端子磁石部を有する外部接続端子と、
前記電子機器の筐体の側面で前記外部接続端子の近傍に位置する筐体磁石部と、
エラストマ樹脂で成形され、支点で折り返され、カバー磁石部を有し、前記カバー磁石部と前記外部接続端子の端子磁石部と磁力で結合して外部接続端子を閉じ、前記端子磁石部との結合を解除して外部接続端子を開き、前記筐体磁石部と磁力で結合し、前記筐体の側面に密着し、前記外部接続端子の嵌合部に前記外部接続コネクタを接続させるための端子カバーとを備えることを特徴とする電子機器へのカバー取り付け構造。
【請求項２】
外部接続コネクタの接続を行う携帯電話機において、
前記携帯電話機の筐体の側面に位置し、前記外部接続コネクタとの接続用の嵌合部の近傍に位置する端子磁石部を有する外部接続端子と、
前記電子機器の筐体の側面で前記外部接続端子の近傍に位置する筐体磁石部と、
エラストマ樹脂で成形され、支点で折り返され、カバー磁石部を有し、前記カバー磁石部と前記外部接続端子の端子磁石部と磁力で結合して外部接続端子を閉じ、前記端子磁石部との結合を解除して外部接続端子を開き、前記筐体磁石部と磁力で結合し、前記筐体の側面に密着し、前記外部接続端子の嵌合部に前記外部接続コネクタを接続させるための端子カバーとを備えることを特徴とする携帯電話機。
【請求項３】
前記携帯電話機が折り畳み式であり、キー操作部を有する下部筐体の側面で前記端子カバーは前記外部接続コネクタに接続される前記外部接続端子をカバーすることを特徴とする、請求項２に記載の携帯電話機。
【発明の詳細な説明】
【技術分野】
【０００１】
本発明は電子機器への端子カバー取り付け構造に関する。特に、本発明は、構造を簡単化し部品の生産性及び端子カバーの取り扱い性の向上を図れる電子機器へのカバー取り付け構造及び携帯電話機に関する。
【背景技術】
【０００２】
図４は本発明の前提となる携帯電話機の概略外観を示す斜視図であり、図５は図４の携帯電話機に外部接続コネクタが接続された状態を示す図である。なお、全図を通して同一の構成要素には同一の番号、符号を付す。
電子機器の一例として携帯電話機について説明を行う。図４に示すように、例えば、携帯電話機は折り畳み式とし、折り畳み式の携帯電話機の下部筐体１００にはキー操作部１００Ａが設けられ、下部筐体１００の側面には外部接続端子１１１が設けられ、外部接続端子１１１には端子カバー１１２が取り付けられる。
【０００３】
図５に示すように、外部接続端子１１１に取り付けられた端子カバー１１２はエラストマ樹脂の成形品であり、開閉可能であり、後述する取り付け部１１２Ｃを支点にして折り返し可能である。
外部接続端子１１１には外部接続コネクタ２０１が接続され、外部接続コネクタ２０１を外部接続端子１１１に接続するときには端子カバー１１２は開き、外部接続端子１１１のカバーを解除し、外部接続コネクタ２０１を外部接続端子１１１から切り離した後には端子カバー１１２は閉じ、外部接続端子１１１をカバーし防塵保護を行う。
【０００４】
図６は図５の端子カバー１１２の構造の概略外観を示す斜視図である。本図に示すように、端子カバー１１２には複数の嵌合爪１１２Ａが設けられ、嵌合爪１１２Ａは端子カバー１１２に加えられる力により外部接続端子１１１との嵌合、嵌合の解除を行う。
さらに、端子カバー１１２には複数のリブ１１２Ｂが設けられ、リブ１１２Ｂは開閉時に加わる力に対して端子カバー１１２の強度を補強する。
【０００５】
しかしながら、端子カバー１１２はエラストマ樹脂の成形品であるため、端子カバー１１２の形状に凹凸があると成形時にガスが発生し外観品質の劣化及び部品形状の不良が発生し、歩留まりが悪くなるという第１の問題があった。
さらに、端子カバー１１２の開閉時にリブ１１２Ｂが潰れてしまい、しっかり嵌合できなくなってしまう不具合も発生するという第２の問題があった。
【０００６】
さらに、外部接続コネクタ２０１を接続するために、端子カバー１１２を開いて外部接続端子１１１に外部接続コネクタ２０１を接続したときに、端子カバー１１２が飛び出した状態で、不安定な状態であり、ぶつかったり、引っかかったりして破損するという第３の問題あった。このような問題に対して、端子カバー１１２の取り付け構造を簡素化し部品の生産性、端子カバーの取り扱い性を向上すべきという課題がある。
このような問題に関連して以下のような従来技術がある。
【０００７】
従来、筐体に装着したキャップの着脱が容易に行えるようにするため、下側筐体に凹状に設けた嵌合凹部と、外部との電気的接続を図る接続端子が露出する嵌合凹部内に設けた端子口と、可撓性を有するキャップを嵌合凹部に着脱自在に嵌合してキャップにより端子口を開閉自在に塞ぐために端子口の近傍の嵌合凹部内に設けた、キャップを取付ける取付口とを有する携帯電話器であって、キャップには、取付口に着脱可能な形状の係合突起を有するとともに、係合突起には、この係合突起自身が変移しながら取付口に着脱するための隙間を有するものがある（例えば、特許文献１参照）。
【０００８】
しかしながら、上記特許文献１では、可撓性を有するキャップを嵌合凹部に着脱自在に嵌合してキャップにより端子口を開閉自在に塞ぐ携帯電話機があるが、端子カバーに対して、エラストマ樹脂に起因する歩留まり、リブ構造の潰れ、破損という問題を解決するものではない。
また、従来、金属のエンドレスベルトを用いることにより、騒音を少なくし、搬送速度を向上させ、接続部に汚れがたまって不衛生になるのを防止すると共に、エンドレスベルトの円周精度やプーリの平行度に起因するエンドレスベルトのずれを防止するため、金属のエンドレスベルトに樹脂カバーを装着し、この樹脂カバーに第１マグネットを埋設し、一方、エンドレスベルトの下面に当接して支持するフレームに第２マグネットを装着し、マグネットの吸着力でベルトのずれを防止し、また、プーリの支軸の角度を調節する機構を設け、運転操作に先立ってプーリの平行度を調節するものがある（例えば、特許文献２参照）。
【０００９】
しかしながら、上記特許文献２では、樹脂カバーに第１マグネットを埋設し、一方、エンドレスベルトの下面に当接して支持するフレームに第２マグネットを装着し、マグネットの吸着力でベルトのずれを防止するが、前述のように、端子カバーに対して、エラストマ樹脂に起因する歩留まり、リブ構造の潰れ、破損という問題を解決するものではない。
また、従来、本体と、少なくとも本体のスイッチ部を覆う折りたたみ式カバーと、本体内に設けられた第１の磁石と、カバー内に設けられ、カバーが閉じる場合に第１の磁石と吸引し合う第２の磁石と、本体に設けられ、カバーを開放する場合に第１の磁石を第２の磁石との吸引力を弱める位置に移動させる解除ボタンとを備え、本体及びカバーに露出した凹凸部分を設けることなく、使用者が手でカバーを開ける必要のないワンタッチロック機構が得られると共に、防塵性、防水性に優れ、機械的破損の恐れがないものが得られるものがある（例えば、特許文献３参照）。
【００１０】
しかしながら、上記特許文献３では、本体内に設けられた第１の磁石と、カバー内に設けられ、カバーが閉じる場合に第１の磁石と吸引し合う第２の磁石とを設けるものがあるが、前述のように、端子カバーに対して、エラストマ樹脂に起因する歩留まり、リブ構造の潰れ、破損という問題を解決するものではない。
また、従来、部品点数を増加させることなく、かつ、落下時に破損しやすい部分であるケース体の角部を保護するため、下ケース（ケース体）の一端部にＩＦコネクター（コネクター）が設けられた携帯電話（携帯通信機器）であって、上記コネクタが設けられた側の一端部及びその角部にエラストマから成る保護部材を設け、かつ、該保護部材に上記コネクタに嵌合自在にされるコネクタカバー部（コネクタカバー）を一体に形成するものがある（例えば、特許文献４参照）。
【００１１】
しかしながら、上記特許文献４では、上記コネクタが設けられた側の一端部及びその角部にエラストマから成る保護部材を設け、かつ、該保護部材に上記コネクタに嵌合自在にされるコネクタカバー部（コネクタカバー）を一体に形成するが、前述のように、端子カバーに対して、エラストマ樹脂に起因する歩留まり、リブ構造の潰れ、破損という問題を解決するものではない。
【００１２】
また、従来、端子台本体の取り付け及び端子カバーの取り付けを容易にするため、複数個の端子ねじが取り付けられる端子台本体および該端子台本体の上面を覆う端子カバーをそれぞれ、樹脂成形後着磁して構成し、前記端子台本体を磁性材料により構成された取付板上に磁気吸引により取り付けるとともに、前記端子カバーを前記端子台本体の上面に磁気吸引により取り付けるものがある（例えば、特許文献５参照）。
【００１３】
しかしながら、上記特許文献５では、前記端子カバーを前記端子台本体の上面に磁気吸引により取り付けるが、前述のように、端子カバーに対して、エラストマ樹脂に起因する歩留まり、リブ構造の潰れ、破損という問題を解決するものではない。
また、従来、防塵蓋が使用中に破壊されたり、紛失されるおそれがなく、違和感のない質感が得られる携帯電話機の外部接続部構造を得るために、電話機ケースの内部に組み込まれる外部接続コネクタのプラグ挿入口を開閉可能な防塵部材で覆う携帯電話機の外部接続部構造において、薄肉ヒンジを境にして屈曲できる板状取付片及び板状遮蔽蓋を硬質合成樹脂材料から一体成形し、前記プラグ挿入口の一側に前記取付片を挟持・固定し、前記薄肉ヒンジの屈曲反力により前記遮蔽蓋の端面をプラグ挿入口の内面に押し付け固定したものがある（例えば、特許文献６参照）。
【００１４】
しかしながら、上記特許文献６では、電話機ケースの内部に組み込まれる外部接続コネクタのプラグ挿入口を開閉可能な防塵部材で覆うが、前述のように、端子カバーに対して、エラストマ樹脂に起因する歩留まり、リブ構造の潰れ、破損という問題を解決するものではない。
【００１５】
【特許文献１】特開２００４−１４０１６６号公報
【特許文献２】実開平６−２５２１６号公報
【特許文献３】実開平８−１９５７９７号公報
【特許文献４】特開２００２−１４１９９１号公報
【特許文献５】特開昭６０−２４９２６８号公報
【特許文献６】特開平１１−１４６０４６号公報
【発明の開示】
【発明が解決しようとする課題】
【００１６】
したがって、本発明は上記問題点に鑑みて、取り付け構造を簡素化し部品の生産性、端子カバーの取り扱い性を向上する電子機器へのカバー取り付け構造を提供することを目的とする。
【課題を解決するための手段】
【００１７】
本発明は前記問題点を解決するために、電子機器への端子カバー取り付け構造において、前記電子機器の筐体の側面に位置し、外部接続コネクタとの接続用の嵌合部の近傍に位置する端子磁石部を有する外部接続端子と、前記電子機器の筐体の側面で前記外部接続端子の近傍に位置する筐体磁石部と、エラストマ樹脂で成形され、支点で折り返され、カバー磁石部を有し、前記カバー磁石部と前記外部接続端子の端子磁石部と磁力で結合して外部接続端子を閉じ、前記端子磁石部との結合を解除して外部接続端子を開き、前記筐体磁石部と磁力で結合し、前記筐体の側面に密着し、前記外部接続端子の嵌合部に前記外部接続コネクタを接続させるための端子カバーとを備えることを特徴とする電子機器へのカバー取り付け構造を提供する。
【００１８】
さらに、外部接続コネクタの接続を行う携帯電話機において、前記携帯電話機の筐体の側面に位置し、前記外部接続コネクタとの接続用の嵌合部の近傍に位置する端子磁石部を有する外部接続端子と、前記電子機器の筐体の側面で前記外部接続端子の近傍に位置する筐体磁石部と、エラストマ樹脂で成形され、支点で折り返され、カバー磁石部を有し、前記カバー磁石部と前記外部接続端子の端子磁石部と磁力で結合して外部接続端子を閉じ、前記端子磁石部との結合を解除して外部接続端子を開き、前記筐体磁石部と磁力で結合し、前記筐体の側面に密着し、前記外部接続端子の嵌合部に前記外部接続コネクタを接続させるための端子カバーとを備えることを特徴とする携帯電話機を提供する。
さらに、前記携帯電話機が折り畳み式であり、キー操作部を有する下部筐体の側面で前記端子カバーは前記外部接続コネクタに接続される前記外部接続端子をカバーする。
【発明の効果】
【００１９】
以上説明したように、本発明によれば、外部接続端子は、電子機器の筐体の側面に位置し、外部接続コネクタとの接続用の嵌合部の近傍に位置する端子磁石部を有し、筐体磁石部は前記電子機器の筐体の側面で外部接続端子の近傍に位置し、端子カバーはエラストマ樹脂で成形され、支点で折り返され、カバー磁石部を有し、カバー磁石部と外部接続端子の端子磁石部と磁力で結合して外部接続端子を閉じ、端子磁石部との結合を解除して外部接続端子を開き、筐体磁石部と磁力で結合し、筐体の側面に密着し、外部接続端子の嵌合部に外部接続コネクタを接続させるようにしたので、従来のような嵌合爪が不要となり、さらに、リブが不要となる。すなわち、従来のように、エラストマ樹脂の端子カバーの成形時にガスが発生し外観品質の劣化及び部品形状の不良が発生し、歩留まりが悪くなり、開閉時にリブが潰れてしまい、しっかり嵌合できなくなってしまう不具合もなくなる。
【００２０】
さらに、従来のように、端子カバーが開いた状態で、端子カバーが飛び出した状態で、不安定な状態となり、ぶつかったり、引っかかったりして破損することがなくなる。
このため、端子カバーの取り付け構造を簡素化し部品の生産性、端子カバーの取り扱い性を向上することが可能である。
【発明を実施するための最良の形態】
【００２１】
以下、本発明の実施の形態について図面を参照して説明する。
図１は本発明に係る携帯電話機への端子カバー１０２の取り付け構造の概略外観を示す図である。
電子機器の一例として上部筐体と下部筐体がヒンジで折り畳まれる携帯電話機について説明を行う。本図(ａ)に示すように、折り畳み式の携帯電話機の下部筐体１００の側面には外部接続端子１０１に対して端子カバー１０２が設けられ、さらに、外部接続端子１０１の近傍に筐体磁石部１００Ｂが設けられる。本図(ａ)には端子カバー１０２の閉状態が示される。
【００２２】
本図(ｂ)に示すように、携帯電話機の側面に位置する外部接続端子１０１には外部接続部コネクタ金属部１０１Ｂが設けられ、外部接続部コネクタ金属部１０１Ｂは後述する外部接続コネクタ２０１との接続用の嵌合部である。本図（ｂ）には端子カバー１０２とこれを分離した外部接続端子１０１の分解状態が示される。
さらに、外部接続端子１０１には端子磁石部１０１Ａが設けられ、端子磁石部１０１Ａは外部接続コネクタ２０１との接続用の嵌合部である外部接続部コネクタ金属部１０１Ｂの近傍に位置し、端子カバー１０２との結合を行うために用いられる。
【００２３】
端子カバー１０２はエラストマ樹脂の成形品であり、開閉可能であり、後述する取り付け部１０２Ｂを支点にして折り返し可能であり、外部接続端子１０１が使用されていない場合、外部接続端子１０１をカバーし防塵保護を行う。
さらに、端子カバー１０２にはカバー磁石部１０２Ａが設けられ、カバー磁石部１０２Ａはカバー１０２の閉時に外部接続端子１０１の端子磁石部１０１Ａと磁力で結合し、さらに、端子カバー１０２の開時に筐体１００の筐体磁石部１００Ｂと磁力で結合する。
【００２４】
図２は図１における端子カバー１０２の概略構造を示す斜視図である。本図に示すように、端子カバー１０２の取り付け部１０２Ｂは支点として折り返し可能に筐体１００の外部接続端子１０１に取り付けられる。
端子カバー１０２のカバー磁石部１０２Ａと筐体１００の外部接続端子１０１の端子磁石部１０１Ａが磁力で結合することにより、従来のような嵌合爪が不要となり、さらに、リブが不要となる。すなわち、従来のように、エラストマ樹脂の端子カバー１０２の成形時にガスが発生し外観品質の劣化及び部品形状の不良が発生し、歩留まりが悪くなり、開閉時にリブが潰れてしまい、しっかり嵌合できなくなってしまう不具合もなくなる。
【００２５】
図３は図１の携帯電話機に外部接続コネクタ２０１が接続された状態を示す図である。本図に示すように、図５と比較して、筐体１００に外部接続コネクタ２０１が接続される場合、筐体１００の筐体磁石部１００Ｂと端子カバー１０２のカバー磁石部１０２Ａとの磁力の結合を解除し、端子カバー１０２を開き、外部接続端子１０１に外部接続コネクタ２０１が接続される。
【００２６】
さらに、端子カバー１０２を折り返して、カバー磁石部１０２Ａのカバー磁石部１０２Ａが筐体１００の筐体磁石部１００Ｂに磁力で結合し、端子カバー１０２の面が筐体１００の側面に密着し、従来のように、端子カバー１１２が飛び出した状態で、不安定な状態であり、ぶつかったり、引っかかったりして破損することがなくなる。
したがって、本発明によれば、端子カバー１０２の取り付け構造を簡素化し部品の生産性、端子カバー１０２の取り扱い性を向上することが可能である。
【実施例１】
【００２７】
以上、折り畳み式の携帯電話機について説明を行ったが、これに限らず、ストレートの携帯電話機、ＰＤＡ（携帯情報端末）、ＰＨＳ（簡易携帯電話機）、パーソナルコンピュータ等の電子機器に本発明の適用が可能である。
【図面の簡単な説明】
【００２８】
【図１】本発明に係る携帯電話機への端子カバー１０２の取り付け構造の概略外観を示す図である。
【図２】図１における端子カバー１０２の概略構造を示す斜視図である。
【図３】図１の携帯電話機に外部接続コネクタ２０１が接続された状態を示す図である。
【図４】本発明の前提となる携帯電話機の概略外観を示す斜視図である。
【図５】図４の携帯電話機に外部接続コネクタが接続された状態を示す図である。
【図６】図５の端子カバー１１２の構造の概略外観を示す斜視図である。
【符号の説明】
【００２９】
１００…筐体
１００Ａ…キー操作部
１００Ｂ…筐体磁石部
１０１…外部接続端子
１０１Ａ…端子磁石部
１０１Ｂ…外部接続部コネクタ金属部
１０２…端子カバー
１０２Ａ…カバー磁石部
２０１…外部接続コネクタ
【図１】
2006262052.tif 000003
【図２】
2006262052.tif 000004
【図３】
2006262052.tif 000005
【図４】
2006262052.tif 000006
【図５】
2006262052.tif 000007
【図６】
2006262052.tif 000008